(57)【要約】本発明は、チップカード収容部であって、エジェクタ（１）と、該エジェクタ（１）に連結された少なくとも１つのロックアーム（２）とが設けられている形式のものに関する。チップカード収容部は、本発明によれば、少なくとも１つのロックアーム（２）を制御するために、歯車（３）が設けられており、該歯車（３）が、ロックアーム（２）のラック状の区分（４）に噛み合っており、歯車（３）の駆動が、エジェクタ（１）の突起（５）を介して行われるようになっており、該突起（５）が、歯車（３）に設けられた滑子案内部（６）内に係合していることによって特徴付けられている。
2006510074.tif 000002
【特許請求の範囲】
【請求項１】
チップカード収容部であって、
−エジェクタ（１）と、
−該エジェクタ（１）に連結された少なくとも１つのロックアーム（２）とが設けられている形式のものにおいて、
少なくとも１つのロックアーム（２）を制御するために、歯車（３）が設けられており、該歯車（３）が、ロックアーム（２）のラック状の区分（４）に噛み合っており、歯車（３）の駆動が、エジェクタ（１）の突起（５）を介して行われるようになっており、該突起（５）が、歯車（３）に設けられた滑子案内部（６）内に係合していることを特徴とする、チップカード収容部。
【請求項２】
突起が、エジェクタ（１）に設けられたピン（５）であり、該ピン（５）が、滑子案内部（６）を貫いて延びていて、該滑子案内部（６）の他方の側で案内溝（７）内に到達しており、該案内溝（７）が、突出し方向に延びている、請求項１記載のチップカード収容部。
【請求項３】
滑子案内部（６）が、互いに角度を成す２つの区分（８，９）を有しており、第１の区分（８）が、チップカード（１０）の差込み時に突出し方向に対してほぼ横方向に延びており、突起（５）が、第１の区分（８）を貫いて延びており、第２の区分（９）が、チップカード（１０）の突出し時に突出し方向に延びており、突起（５）が、第２の区分（９）を貫いて延びている、請求項１または２記載のチップカード収容部。
【請求項４】
第１の区分（８）と第２の区分（９）との間の角度が、１２０゜〜１３５゜に設定されている、請求項３記載のチップカード収容部。
【請求項５】
歯車（３）が、チップカード（１０）の差込み時に突出し方向に対してほぼ横方向に延びる両領域に歯を有しており、該歯が、それぞれ１つのロックアーム（２）を操作するようになっている、請求項１から４までのいずれか１項記載のチップカード収容部。
【請求項６】
デジタル式のタコグラフでの、請求項１から５までのいずれか１項記載のチップカード収容部の使用。
【発明の詳細な説明】
【技術分野】
【０００１】
この形式のチップカード収容部は、チップカードが読取り過程または書込み過程のために機器内に収容されるようになっており、データの性質に基づき、チップカードが書込み過程または読取り過程の間に機器から取り出されることが阻止されなければならない場合のような事例に使用される。
【０００２】
このような事例は、たとえばキャッシュカードとしての使用時に現金取引が行われる場合に付与されているかまたは運転者を識別するかもしくは運転者・車両固有のデータをメモリするためにチップカードが使用されるデジタル式のタコグラフにおいて付与されている。タコグラフは一般的に、法律で定められた事例で使用されるので、記録されたデータの証明力が確保されているように、操作確実性に対して特に高い確実性要求が付与されている。走行の開始時には、チップカードがデジタル式のタコグラフ内に差し込まれ、差し込まれた位置でロックされる。チップカードは、機器の相応の制御時にのみこの機器から自動的に突き出すことができる。
【０００３】
前述したチップカード収容部は、有利には半自動的な運転形式で作業する。すなわち、チップカードが手で押し込まれ、この押込み過程によってロックが作動させられる。これに対して、カードのロック解除および突出しは、機器によって制御されて自動的に行われる。
【０００４】
操作確実性を確立するための主要な手段は、適切なロック機構を設けることである。これまで、ロックは、２つのロックスライダを操作する滑子案内部を介して行われていた。この機構は極めて僅かな構造高さで収納されている。横方向運動のための案内エレメントとして、スライダに、溝内で走行する硬化させられた２つのピンがリベット締めされる。硬化させられた他方のピンが、反対の側にリベット締めされており、このピンによって、滑子を介した横方向運動のための制御が行われる。公知先行技術によるこの構成は一連の問題を有している。溝内での２つのピンの案内に基づき、誤差が僅かな場合でさえ、大きな傾倒角が存在する。たとえば１０ｍｍの軸線間隔および０．１ｍｍの空隙で８゜の角度遊びが生ぜしめられる。運転中には、リベット締めされたピンが部分的に比較的高い力を吸収し、シリンダの圧入深さが極めて僅かとなるという問題が生ぜしめられる。なぜならば、ここでは、さらに、リベットを埋め込むための凹部が取り除かれなければならないからである。したがって、より長い運転時にピンが緩み得る。
【０００５】
製作時に、硬化させられたピンが全て一方の側に配置されていないことがコストを高めると分かった。これによって、部材が２回加工されなければならない。これによって、製造コストが高められる。機構に対する極めて僅かな構造高さが目標とされ、部材が互いに相対運動を実施し、この場合、引っ掛かってはならないので、リベットが埋め込まれていなければならない。このこともコストを高める。
【０００６】
したがって、本発明の課題は、ロックが操作確実であり、この場合、廉価に形成可能であるチップカード収容部を提供することである。この場合、僅かな構造高さが可能であることが望ましい。
【０００７】
この課題は、本発明によれば、冒頭で述べた形式のチップカード収容部において、少なくとも１つのロックアームを制御するために、歯車が設けられており、該歯車が、ロックアームのラック状の区分に噛み合っており、歯車の駆動が、エジェクタの突起を介して行われるようになっており、該突起が、歯車に設けられた滑子案内部内に係合していることによって解決される。
【０００８】
機能に関して、本発明によるチップカード収容部は有利である。なぜならば、滑子案内部を介してロックおよび突出しの時間特性を調整することができるからである。さらに、案内部でのリベットを介した長い誤差連鎖は形成されない。ロックアームはスライダとして形成されてよく、任意にＶ字形に配置されてよい。これによって、チップカード収容部の閉鎖時に、カードも差し込まれるかもしくはカードが突き出される方向へのロックスライダの相対運動が生ぜしめられる。生ぜしめられた力は、いま、もはやリベットを介して吸収されず、頑丈な歯車と、この歯車の支承箇所とを介して吸収され、これによって、リベットの緩みの問題はもはや生ぜしめられ得ない。
【０００９】
製作に関して、いま、もはやただ１つのリベットしか必要とならないことが有利である。さらに、エジェクタに対する圧入長さは、公知先行技術によるリベットよりも著しく長い。圧入長さの延長は、金属薄板部材における深絞りによる補助手段によって可能となり得る。この場合、この可能性は、チップカード収容部の本発明による構成において、運動させられる部材がもはや重なり合って滑動せず、したがって、構成スペースが下向きに提供されることによって付与されている。複数のリベットが省略されているので、孔内へのリベットの供給のための製造コストならびに後続のリベット締めも低減される。部材は、いま、もはや重なり合って滑動しないので、打抜き部材が打抜き時のばり形成に関してそれほど臨界的ではないという利点が得られる。裏側のリベット締めも同じくもはや不要となる。
【００１０】
本発明の有利な構成は従属請求項に記載してある。
【００１１】
以下に、本発明の実施例を図面につき詳しく説明する。
【００１２】
図１には、本発明によるチップカード収容部の三次元図が示してある。図示の運転状態では、チップカード１０がチップカード収容部内に完全に導入されている。エジェクタ１が設けられている。このエジェクタ１は両連行体１４を介してチップカード１０に接触していて、両連行体１４を介してチップカード１０を突き出すことができる。エジェクタ１は、このエジェクタ１に係合するスライダ１３によって操作される。このスライダ１３もやはり駆動装置を介して操作される。しかし、この駆動装置は図示しておらず、本発明の対象でもない。
【００１３】
導入されたチップカード１０は２つのロックスライダ２を介して、押し込まれた位置でロックされている。このためには、ロックスライダ２に端区分１１が設けられている。この端区分１１は、ロックされた状態でチップカード１０の前方に押し進められており、したがって、チップカード１０をもはや取り出すことはできない。
【００１４】
ロックスライダ２の駆動は歯車３を介して行われる。この歯車３は、歯を備えた２つの領域を有している。両領域はロックスライダ２のラック状の区分４に噛み合っている。時計回り方向での歯車３の回転を介して、ロックスライダ２が外向きに押し進められ、これによって、ロックスライダとチップカード１０との重なり１１が排除され、チップカードを取り出すことができる。
【００１５】
歯車３の駆動はピン５を介して行われる。このピン５はエジェクタ１の前方の端部に配置されていて、滑子案内部６内に係合している。この滑子案内部６は歯車３に形成されている。エジェクタ１のピン５と滑子案内部６との協働は図２に詳しく示してある。滑子案内部６は、互いに角度を成す２つの区分８，９を有している。この場合、第１の区分８は、図示の事例のように、チップカード１０が押し込まれている場合に突出し方向に対して横方向に延びている。第１の区分８に対して約１２０゜の角度を成して、第２の滑子区分９が延びている。
【００１６】
突出し過程は以下のように経過する。図２に破線で示した、力を突出し伝動装置からロックシステムに伝達する中心のエジェクタ１が、ピン５で滑子案内部６の第１の区分８に係合している。図示のように、リベット締めされたピンの代わりに、別の手段、たとえば金属薄板から製造されたエジェクタに設けられた深絞り加工されたエレメント、射出成形により一体成形されたプラスチックエレメント等が使用されてもよい。２つの区分によって形成された三日月形の滑子案内部によって、２回の作業ステップが実施されることが可能となる。突出し方向へのエジェクタ１の移動時には、ピン５が力を歯車３に加え、これによって、この歯車３が回転運動を実施する。歯車３の歯はロックスライダ２のラック状の区分４に噛み合っており、このロックスライダ２を外向きに移動させる。ロックの開放と同時にチップカード１０が小さな距離だけ外向きに搬送される。
【００１７】
ロックスライダ２はチップカード１０の突出し距離に比べて比較的小さな距離さえ克服すればよいので、ロックの完全な開放後には、歯車３の回転運動が突出し運動から切り離されなければならない。この切離しは、ロックが解除された場合に、エジェクタ１の運動方向が滑子案内部６の第２の区分９の方向と合致することによって実現される。つまり、ロックが開放されるまで歯車３が回転させられた後、滑子案内部６の第２の区分９が案内溝７の上方に位置している。この案内溝７は突出し方向に延びていて、エジェクタ１が突出し方向に運動させられることを確保している。したがって、エジェクタ１のさらなる突出し運動時には、力はもはや歯車３およびロックスライダ２に加えられず、これによって、ロックスライダ２がその位置にとどまり、同時に内方へのロックスライダ２のずれ滑りが阻止されている。
【００１８】
図３および図４には、チップカード１０の突出し時の２つの瞬間撮影図が示してある。図３では、歯車３がすでに部分的に回転させられており、ロックスライダ２が部分的に開放されている。チップカード収容部内でのチップカード１０の位置は最小限外向きに移動させられている。図４では、チップカード１０がすでに十分に突き出されている。ロックは完全に開放されている。すなわち、ロックスライダ２がその最外の位置にある。さらに、滑子案内部６内でのピン５の位置につき認めることができるように、チップカード１０のさらなる突出しのために十分な余裕が提供されており、これによって、チップカード１０を使用者が良好に把持することができ、そして、取り出すことができる。
【００１９】
図５には、図３の中間位置の詳細図が示してある。図５にマーキングした長手方向軸線Ａ−Ａを通って延びる縦断面図が図６に示してある。そこには、ロック機構の極端に扁平な構造形式を良好に認めることができる。チップカード１０の厚さに比べて、ロック機構の高さが約４ｍｍに寸法設定されていることが明らかである。さらに、ロック機構の下方にはカバー１２が位置している。このカバーは４ｍｍの高さにすでに算入されている。
【００２０】
チップカードの導入時には同じステップが経過するものの、逆の順序で経過する。まず、チップカード１０が導入され、この場合、エジェクタ１の連行体１４を介して押し戻される。次いで、ピン５が滑子案内部６の第１の区分に進入した場合に、チップカード１０の押込みが反時計回り方向での歯車３の回転運動を生ぜしめ、これによって、内向きのロックスライダ２の移動を生ぜしめる。これによって、ロックスライダ２の端区分１１がチップカード１０の前方に押し進められ、これによって、このチップカード１０が、押し込まれた位置にロックされていて、手で取り出すことができないようになる。次いで、その一部がチップカード収容部である機器と、チップカードのチップとの間で読取り過程または書込み過程が開始され得る。
【図面の簡単な説明】
【００２１】
【図１】チップカードが完全に押し込まれた場合の本発明によるチップカード収容部の三次元図である。
【図２】図１のチップカード収容部のロック機構の詳細図である。
【図３】ロックが部分的に開放された場合の図１および図２のチップカード収容部を示す図である。
【図４】チップカードが突き出された場合の図１および図３のチップカード収容部を示す図である。
【図５】図３の運転状態におけるロック機構の詳細図である。
【図６】図５のロック機構の縦断面図である。
【符号の説明】
【００２２】
１  エジェクタ、  ２  ロックスライダ、  ３  歯車、  ４  区分、  ５  ピン、  ６  滑子案内部、  ７  案内溝、  ８，９  区分、  １０  チップカード、  １１  端区分、  １２  カバー、  １３  スライダ、  １４  連行体
【図１】
2006510074.tif 000003
【図２】
2006510074.tif 000004
【図３】
2006510074.tif 000005
【図４】
2006510074.tif 000006
【図５】
2006510074.tif 000007
【図６】
2006510074.tif 000008
【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
チップカード収容部であって、
−エジェクタ（１）と、
−該エジェクタ（１）に連結された少なくとも１つのロックアーム（２）とが設けられており、該ロックアーム（２）によって、導入されたチップカード（１０）が、押し込まれた位置でロック可能である形式のものにおいて、
少なくとも１つのロックアーム（２）を制御するために、歯車（３）が設けられており、該歯車（３）が、ロックアーム（２）のラック状の区分（４）に噛み合っており、歯車（３）の駆動が、エジェクタ（１）の突起（５）を介して行われるようになっており、該突起（５）が、歯車（３）に設けられた滑子案内部（６）内に係合していることを特徴とする、チップカード収容部。
【請求項２】
突起が、エジェクタ（１）に設けられたピン（５）であり、該ピン（５）が、滑子案内部（６）を貫いて延びていて、該滑子案内部（６）の他方の側で案内溝（７）内に到達しており、該案内溝（７）が、突出し方向に延びている、請求項１記載のチップカード収容部。
【請求項３】
滑子案内部（６）が、互いに角度を成す２つの区分（８，９）を有しており、第１の区分（８）が、チップカード（１０）の差込み時に突出し方向に対してほぼ横方向に延びており、突起（５）が、第１の区分（８）を貫いて延びており、第２の区分（９）が、チップカード（１０）の突出し時に突出し方向に延びており、突起（５）が、第２の区分（９）を貫いて延びている、請求項１または２記載のチップカード収容部。
【請求項４】
第１の区分（８）と第２の区分（９）との間の角度が、１２０゜〜１３５゜に設定されている、請求項３記載のチップカード収容部。
【請求項５】
歯車（３）が、チップカード（１０）の差込み時に突出し方向に対してほぼ横方向に延びる両領域に歯を有しており、該歯が、それぞれ１つのロックアーム（２）を操作するようになっている、請求項１から４までのいずれか１項記載のチップカード収容部。
【請求項６】
デジタル式のタコグラフでの、請求項１から５までのいずれか１項記載のチップカード収容部の使用。
【国際調査報告】
2006510074.tif 000009
2006510074.tif 000010
2006510074.tif 000011
2006510074.tif 000012
2006510074.tif 000013
2006510074.tif 000014